(57)【要約】【課題】  取り付け部の構造が、傘の石突の長さ、太さなどの大きさに影響されない傘の石突に装着する着脱自在の点滅灯を提供することを目的とする。【解決手段】  電球１１と、電球１１を点滅させるための点滅回路１２と、電源電池１４と、点滅回路１２の開閉スイッチ１３を中空棒状体１内に格納し、電球１１を中空棒状体１の先端部１ａに配すると共に、この電球１１と反対側の中空棒状体１の基部１ｂ下方に少なくとも１以上の軸心に沿って縦方向の所望長さの切り込み部２２を設けて弾性的にふくらまして直径Ｄを調節可能な吹き流し類似形状の接続部２とし、接続部２は中空棒状体１の基部１ｂと螺着して分離可能な螺子部を有し、接続部２を上から弾力的に締め付ける締め付け部材３を設け、傘の石突５に被嵌着脱自在に構成したことを特徴とする。【選択図】        図１
0003109210.tif 000002
【実用新案登録請求の範囲】
【請求項１】
電球と、該電球を点滅させるための点滅回路と、電源電池と、更に前記点滅回路を開閉するための開閉スイッチを中空棒状体内に格納し、前記電球を前記中空棒状体の先端部に配すると共に、この電球と反対側の前記中空棒状体の基部下方側面に少なくとも１または２以上複数の軸心に沿って縦方向の所望長さの切り込み部を設けて弾性的にふくらまして直径を調節可能な吹き流し類似形状の接続部とし、該接続部は前記中空棒状体の基部と螺着して分離可能な螺子部を有し、該接続部を上から弾力的に締め付ける締め付け部材を設け、傘の石突に被嵌着脱自在に構成したことを特徴とする傘の石突に装着する着脱自在の点滅灯。
【考案の詳細な説明】
【技術分野】
【０００１】
本考案は、傘の石突に装着する着脱自在の点滅灯に関する。
【背景技術】
【０００２】
雨降りの時に用いる雨傘、日傘、ビーチパラソルなどそれぞれ用途により使い分けられているが、特に子供や、年寄りが雨降りの夜に用いる雨傘の場合、周囲の暗闇に溶け込んで見分けにくく、また、車を運転する運転者にとっては、雨の日の夜間での歩行者は老若男女を問わず見分けにくく、危険で不安全な状況が発生する。
【考案の開示】
【考案が解決しようとする課題】
【０００３】
従来、石突に発光素子を具備する提案が知られるが、取り付け方法、その他の構成において、実用性に問題がある。
【０００４】
本考案は、上述の事情に鑑みて成されたもので、取り付け部の構造が、傘の石突の長さ、太さなどの大きさに影響されない傘の石突に装着する着脱自在の点滅灯を提供することを目的とする。
【課題を解決するための手段】
【０００５】
本考案は、下記構成を備えることにより上記課題を解決できるものである。
【０００６】
（１）電球と、該電球を点滅させるための点滅回路と、電源電池と、更に前記点滅回路を開閉するための開閉スイッチを中空棒状体内に格納し、前記電球を前記中空棒状体の先端部に配すると共に、この電球と反対側の前記中空棒状体の基部下方に少なくとも１以上の軸心に沿って縦方向の所望長さの切り込み部を設けて弾性的にふくらまして直径を調節可能な吹き流し類似形状の接続部とし、該接続部は前記中空棒状体の基部と螺着して分離可能な螺子部を有し、該接続部を上から弾力的に締め付ける締め付け部材を設け、傘の石突に被嵌着脱自在に構成した傘の石突に装着する着脱自在の点滅灯。
【考案の効果】
【０００７】
本考案によれば、点滅灯が傘の石突に着脱自在な構造としたことで、子供や老人，家人にとって扱い易く、容易に傘の石突に装着できるので、例えば、夜間、雨の日、特に子供が傘を差して歩行中に点滅灯を点けて移動すれば、点滅する灯が自動車の運転者に視認し易く、例えば注意喚起灯として機能し、事故を未然に防止出来、安全を確保することが出来る。
【考案を実施するための最良の形態】
【０００８】
以下、本考案に係る傘の石突に装着する着脱自在の点滅灯の実施の形態について説明する。
【０００９】
図１（ａ）は、本考案に係る傘の石突に装着する着脱自在の点滅灯の要部構成を示す断面図、（ｂ）は、傘の石突に点滅灯を装着する状況を示す要部側面図、図２は、ねじ込み式の分離型接続部の構成の一例を示す破断側面図、図３は、一体型接続部の構成の一例を示す破断側面図、図４（ａ）は直円筒型締め付け部材の斜視図、（ｂ）はテーパー付き円筒型の締め付け部材の斜視図、（ｃ）は両端丸み付き締め付け部材の説明図、図５は、ゴム製Ｏ−リング状締め付け部材の説明図、図６は、本考案に係る傘の石突に装着する着脱自在の点滅灯を装着して傘を差した状態例を示す外観図である。
【実施例】
【００１０】
以下実施例について、詳細に説明する。
【００１１】
電球１１と、該電球１１を点滅させるための点滅回路１２と、電源電池１４と、更に点滅回路１２を開閉するための、例えばスライド式の開閉スイッチ１３を中空棒状体１の内部１８に格納し、電球１１を中空棒状体１の先端部１ａに配すると共に、この電球１１と反対側の中空棒状体１の基部１ｂ下方に少なくとも１以上の軸心に沿って縦方向の所望長さの切り込み部２２を設けて断面円弧状の板部からなる挟持部２１を形成し、この挟持部２１を弾性的にふくらまして直径Ｄを調節可能な吹き流し類似形状の接続部２とし、該接続部２は螺子部を構成する雄螺子部２３と雌螺子部１６とで中空棒状体１と螺着して分離可能な螺子込み式接続部であり、該接続部２を上から弾力的に締め付ける締め付け部材３を設け、傘の石突５（図６参照）に被嵌着脱自在に構成してある。１５は、コイルバネであり、電源電池を支持すると共に、電気的接続部でもある。尚、上記接続部は分離型接続部２としての実施例である。
【００１２】
他の実施例として、接続部は、図３に示すように中空棒状体１と分離しない一体型接続部２′として一体構造１００とする構成としても良い。
【００１３】
吹き流し類似形状の接続部は、例えば「細長い数条の布を円筒状に形成した蛸足類似形状である」とも表現できる。
【００１４】
開閉スイッチ１２は、懐中電灯に使用されている耐候性に優れたスライド式スイッチを用いた。
【００１５】
図４（ａ）は、直円筒型の締め付け部材３の斜視図である。
【００１６】
図４（ｂ）は、テーパー角θのテーパー付き円筒型の締め付け部材３ａの斜視図である。テーパー角θは、例えば１〜５度の範囲内であれば良く、石突の径がやや大きい場合、接続部２の先端２１ａが石突に嵌着固定できれば十分である。
【００１７】
図４（ｃ）は、締め付け部材の内面の両端部３１、３１を曲率半径Ｒの丸みを付けた滑らかな端部として移動し易いようにした両端丸み付き締め付け部材の例である。Ｒの値は、例えば締め付け部材の肉厚が２ｍｍであれば、Ｒ＝２ｍｍとし、３ｍｍであれば、Ｒ＝３ｍｍとすれば良い。
【００１８】
締め付け部材の材質は、ステンレス・スティール、若しくは合成ゴムが挙げられる。
【００１９】
図５は、ゴム製Ｏ−リング状締め付け部材を示す図であり、使用する個数は、１個でもよく、または２以上複数個使用することも考えられる。また、ゴム製短管−リング状締め付け部材（不図示）としても良い。
【００２０】
その他、市販されている不図示のホースバンドを用いても良い。
【００２１】
尚、石突の径によりねじ込み式の分離型接続部とした場合は、締め付け部材とセットで、例えば大、中，小のサイズ別に分けて交換部品として用意しても良い。
【００２２】
図６は、本考案に係る傘の石突に装着する着脱自在の点滅灯を装着して傘を差した状態例を示す外観図である。図中、符号６は、傘の柄を示す。
【００２３】
尚また、図１〜図３では、接続部２の切り込みの数を４つの場合を示してあるが、切り込みの数は、１つでも、２つでも、３つでも良く、接続部に用いる材質、厚み、靭性、柔軟性を考慮して決めることが出来る。
【００２４】
上述の構成に基づき作用を説明する。
【００２５】
例えば、夜間雨降りの時、本考案に係る傘の石突に装着する着脱自在の点滅灯の接続部２を構成する締め付け部材３、３ａ、３ｂ、または４（ゴム製Ｏ−リング状締め付け部材）を中空棒状体１側にずらしておき、使用する傘の石突５に接続部２の先端部２１ａ側から所望位置まで接続部２が被さるように装着し、次に前記締め付け部材を接続部２の先端部２１ａ側に向かってずらし、図６に示すように着脱自在の点滅灯をしっかりと固定する。そしてスイッチ１３をスライドしてＯＮにし、点滅しているのを確認して、外出する。本考案の着脱自在の点滅灯は、その名の示すように、点灯しっぱなしではなく、点滅するので、第三者から目立って視認し易く、安全を確保することが出来る。特に子供や老人に非常に有効である。使用した後は、締め付け部材が簡単にずらせるので傘の石突から着脱自在の点滅灯を容易に外すことが出来る。
【００２６】
点滅灯本体となる中空棒状体１の材料としては、例えば耐熱性、耐候性を有するシリコン系樹脂が挙げられる。
【００２７】
電球には図１に示すように、耐熱性、耐候性、防水性を有する樹脂製のキャップ１７を設けることが出来る。このキャップは、点滅する光が外側から視認できれば透明、半透明、不透明の何れでも良い。
【００２８】
更に、着脱自在の点滅灯の外観をカラフルに仕上げて子供が楽しんで使えるようにすることが出来る。電球に被せるキャップも、例えばピンク色、その他の色で飾ることも出来る。
【図面の簡単な説明】
【００２９】
【図１】（ａ）本考案に係る傘の石突に装着する着脱自在の点滅灯の要部構成を示す断面図、（ｂ）傘の石突に点滅灯を装着する状況を示す要部側面図
【図２】ねじ込み式の分離型接続部の構成の一例を示す破断側面図
【図３】一体型接続部の構成の一例を示す破断側面図
【図４】（ａ）直円筒型締め付け部材の斜視図、（ｂ）テーパー付き円筒型の締め付け部材の斜視図、（ｃ）両端丸み付き締め付け部材の説明図
【図５】ゴム製Ｏ−リング状締め付け部材の説明図
【図６】本考案に係る傘の石突に装着する着脱自在の点滅灯を装着して傘を差した状態例を示す外観図
【符号の説明】
【００３０】
１  中空棒状体
２  接続部（分離型接続部）
２′  一体型接続部
３、３ａ、３ｂ、４  締め付け部材
５  石突
６  柄
１１  電球
１２  点滅回路
１３  開閉スイッチ
１４  電源電池
１５  コイルバネ
１６  雌螺子部
１７  キャップ
２１  挟持部
２２  切り込み部
２３  雄螺子部
【図１】
0003109210.tif 000003
【図２】
0003109210.tif 000004
【図３】
0003109210.tif 000005
【図４】
0003109210.tif 000006
【図５】
0003109210.tif 000007
【図６】
0003109210.tif 000008